(57)【要約】【課題】  カーテンの束ねしろを大小調節可能なタッセルを提供する。【解決手段】  タッセル１は繊維を編んだ強度と柔軟性の有る１本の太い紐状部材２を備えるとともに、房掛１０と束ねたカーテン１１との間の左右両側の紐状部６、７を可変位置で留め、カーテン１１に掛けたループの長さ（図４の符号Ｌ参照）を変えてカーテン１１の束ねしろを調節可能とする束ねしろ調節部材２０が付設されている。束ねしろ調節部材２０は、内部に２本の紐状部６、７を長さ方向に摺動自在に挿通した円筒状のケーシング２１と、ケーシング２１の外面に細紐を巻着して形成した被覆２２により構成されており、内径が２本の紐状部６、７の直径の和より狭く形成されて、摩擦抵抗により２本の紐状部６、７が固定した状態に保持されるようになっている。【選択図】      図１
2015167759.tif 000002
【特許請求の範囲】
【請求項１】
房掛と束ねたカーテンにループ状に掛ける紐状部材を有するタッセルにおいて、
房掛とカーテンの間の両側の少なくとも２本の紐状部を留め、カーテンに掛けたループの長さを変えてカーテンの束ねしろを調節可能とする束ねしろ調節部材を付設したこと、
を特徴とするタッセル。
【請求項２】
束ねしろ調節部材を筒状に形成し、
束ねしろ調節部材の内部に挿通した複数の紐状部と束ねしろ調節部材の摩擦抵抗により、複数の紐状部が固定した状態に保持されるようにしたこと、
を特徴とする請求項１記載のタッセル。
【請求項３】
束ねしろ調節部材は複数の紐状部を内部に挿通可能としたこと、
を特徴とする請求項１または２記載のタッセル。
【請求項４】
紐状部材は房掛側の一端部に折り返し部又は係止環を設け、カーテン側の他端部には複数の紐状部材の端部に、該端部を着脱自在に結合する結合部材を備えたこと、
を特徴とする請求項１乃至３の内のいずれか一項記載のタッセル。
【請求項５】
紐状部材の両端部に、該両端部を着脱自在に結合する結合部材を備え、結合位置をカーテン周りに調整可能としたこと、
を特徴とする請求項１乃至３の内のいずれか一項記載のタッセル。
【請求項６】
結合部材は磁力で着脱自在としたこと、
を特徴とする請求項５記載のタッセル。
【請求項７】
結合部材は束ねしろ調節部材に当接可能としたこと、
を特徴とする請求項５乃至６の内のいずれか一項記載のタッセル。
【請求項８】
束ねしろ調節部材の調節範囲を制限する制限手段を設けたこと、
を特徴とする請求項１乃至７の内のいずれか一項記載のタツセル。
【請求項９】
束ねしろ調節部材は、或る一定以上の負荷が掛かると、２本の紐状部を留めた状態を解除する解除手段を有すること、
を特徴とする請求項１乃至８の内のいずれか一項記載のタッセル。
【請求項１０】
結合部材は、或る一定以上の負荷が掛かると、結合状態を解除する解除手段を有すること、
を特徴とする請求項４乃至７の内のいずれか一項記載のタッセル。
【発明の詳細な説明】
【技術分野】
【０００１】
本発明はタッセルに係り、とくに房掛と束ねたカーテンにループ状に掛けるようにしたタッセルに関する。
【背景技術】
【０００２】
開けたカーテンを束ねた状態で固定するために、壁や窓枠に装着された房掛と束ねたカーテンにループ状に掛けるタッセルが用いられる。現在の主流は特許文献１に記載のタッセルの如く、束ねたカーテンに掛け回したタッセルの両端の係止環を房掛に掛け止めるようにしたものである。けれども、タッセルの長さが固定されているため、短いときは束ねしろを大きくしてカーテンを固定しようとしても出来ないか締めすぎて窮屈となり、長いときは束ねしろを小さくして固定しようとしても緩くしか束ねられないという問題があった。
【先行技術文献】
【特許文献】
【０００３】
【特許文献１】実用新案登録第３１７９４５６号公報
【発明の概要】
【発明が解決しようとする課題】
【０００４】
本発明は上記した従来技術の問題に鑑みなされたもので、カーテンの束ねしろを大小調節可能なタッセルを提供することを、その目的とする。
【課題を解決するための手段】
【０００５】
本発明の請求項１記載のタッセルでは、房掛と束ねたカーテンにループ状に掛ける紐状部材を有するタッセルにおいて、房掛とカーテンの間の両側の少なくとも２本の紐状部を留め、カーテンに掛けたループの長さを変えてカーテンの束ねしろを調節可能とする束ねしろ調節部材を付設したこと、を特徴としている。
本発明の請求項２記載のタッセルでは、束ねしろ調節部材を筒状に形成し、束ねしろ調節部材の内部に挿通した複数の紐状部と束ねしろ調節部材の摩擦抵抗により、複数の紐状部が固定した状態に保持されるようにしたこと、を特徴としている。
本発明の請求項３記載のタッセルでは、束ねしろ調節部材は複数の紐状部を内部に挿通可能としたこと、を特徴としている。
本発明の請求項４記載のタッセルでは、紐状部材は房掛側の一端部に折り返し部又は係止環を設け、カーテン側の他端部には複数の紐状部材の端部に、該端部を着脱自在に結合する結合部材を備えたこと、を特徴としている。
本発明の請求項５記載のタッセルでは、紐状部材の両端部に、該両端部を着脱自在に結合する結合部材を備え、結合位置をカーテン周りに調整可能としたこと、を特徴としている。
本発明の請求項６記載のタッセルでは、結合部材は磁力で着脱自在としたこと、を特徴としている。
本発明の請求項７記載のタッセルでは、結合部材は束ねしろ調節部材に当接可能としたこと、を特徴としている。
本発明の請求項８記載のタッセルでは、束ねしろ調節部材の調節範囲を制限する制限手段を設けたこと、を特徴としている。
本発明の請求項９記載のタッセルでは、束ねしろ調節部材は、或る一定以上の負荷が掛かると、２本の紐状部を留めた状態を解除する解除手段を有すること、を特徴としている。
本発明の請求項１０記載のタッセルでは、結合部材は、或る一定以上の負荷が掛かると、結合状態を解除する解除手段を有すること、を特徴としている。
【発明の効果】
【０００６】
本発明によれば、カーテンの束ねしろを小さくしてタッセルを掛装することも大きくして掛装することもでき、束ねしろの自由度が増す。
【図面の簡単な説明】
【０００７】
【図１】図１（１）は本発明の一実施例に係るタッセルの外観正面図、図１（２）は結合部材の作用説明図である（実施例１）。
【図２】図２（１）は図１中の束ねしろ調節部材の断面図、図２（２）は図１中の結合部材の断面図である。
【図３】図１中のタッセルを用いてカーテンを固定する方法を示す説明図である。
【図４】図１中の束しろ調節部材の作用説明図である。
【図５】図１中のタッセルを単独で房掛に掛ける方法を示す説明図である。
【図６】図１中のタッセルの各種変形例を示す外観正面図である。
【図７】図１中の結合部材の変形例を示す断面図である。
【図８】図１中の束ねしろ調節部材の変形例を示す説明図である。
【図９】図１中の束ねしろ調節部材の他の変形例を示す説明図である。
【図１０】図１中の束ねしろ調節部材の更に他の変形例を示す説明図である。
【図１１】図１中の束ねしろ調節部材の他の変形例を示す説明図である。
【図１２】図１中の束ねしろ調節部材の他の変形例を示す説明図である。
【図１３】図１中の束ねしろ調節部材の他の変形例を示す説明図である。
【発明を実施するための最良の形態】
【０００８】
以下、本発明の最良の形態を実施例に基づき説明する。
【実施例１】
【０００９】
図１、図２を参照して本発明の一実施例を説明する。図１（１）は本発明に係る１本紐タイプのタッセルの外観正面図、図１（２）は結合部材の作用説明図、図２（１）は図１中の束ねしろ調節部材の断面図、図２（２）は図１中の結合部材の断面図である。
これらの図において、１は束ねたカーテンを房掛に掛装するタッセルであり、繊維を編んだ強度と柔軟性の有る１本の太い紐状部材２を備えており、紐状部材２の両端部に一対の球形の結合部材３、４が固着されて当該両端部を着脱自在に結合可能になっている。タッセル１を用いて紐状部材２の途中を折り返した折り返し部５を房掛１０に掛け、両端の結合部材３、４を束ねたカーテン（図３の符号１１参照）の前側に回して結合することで、房掛１０と束ねたカーテン１１にループ状に掛けてカーテン１１を固定することができる。
【００１０】
タッセル１には、房掛１０と束ねたカーテン１１との間の左右両側の紐状部６、７を可変位置で留め、カーテン１１に掛けたループの長さ（図４の符号Ｌ参照）を変えてカーテン１１の束ねしろを調節可能とする束ねしろ調節部材２０が付設されている。束ねしろ調節部材２０は図２（１）に示す如く、内部に２本の紐状部６、７を長さ方向に摺動自在に挿通した円筒状のケーシング２１と、ケーシング２１の外面に細紐を巻着して形成した被覆２２により構成されており、内径が２本の紐状部６、７の直径の和より狭く形成されて、摩擦抵抗により２本の紐状部６、７が固定した状態に保持されるようになっている。
【００１１】
結合部材３、４は互いに対称に形成されており、この内、結合部材３は図２（２）に示す如く、木球（非磁性体）３０の先端側に磁着部材としての磁石３１が埋設されたのち布３２で覆着されている。また基端側に刻設した凹部３３に紐状部材２の先端が接着剤等により固着されている。木球３０の外面全体には磁石３１の前面側を除いて細紐を巻着して形成した被覆３４が設けられている。他方の結合部材４も結合部材３と全く同様に形成されており、互いの磁石３１で着脱自在に磁着結合可能になっている。なお、凹部３３は磁石埋設位置まで貫通した貫通孔としても良い。また、被覆３４を省略しても良い。
【００１２】
ところで、カーテンのタッセルには先に「発明が解決しようとする課題」で述べたカーテンの束ねしろを大小調節可能なタッセルを提供すること以外にも課題がある。その課題の一つとしてタッセルが房掛に掛けられた状態で意図せずタッセルのループに異物が引っ掛かるとタッセル又は房掛が破損する、もしくは異物が損傷する恐れがあるという安全面での課題がある。そこで、本実施例のタッセルの結合部材３、４の磁石３１は、或る一定以上の負荷が掛かると結合が解除する解除手段としての機能を有している。
【００１３】
例えば図１（２）の状態で、ループに引っ掛かった異物Ｘよりタッセル１の結合部材３、４に矢印Ａ方向への荷重ａが作用すると、結合部材３、４に対しＢ１、Ｂ２方向に回転力が作用し磁着結合が容易に解除されるようになっている。また、後述するように、結合部材３、４をカーテン１１の脇側に回した図４（３）の状態で、異物Ｘによりタッセル１の紐状部６または紐状部７に矢印Ｃ方向への荷重ｃが作用すると、結合部材３、４に対しｃ／２の張力が作用する。本実施例では、一例として結合部材３、４の軸線方向の必要最小解除力は２５Ｎとし、一定以上の荷重負荷の閾値を５０Ｎとした。このような結合部材３、４の構成により、束ねしろ調節部材２０がどの位置にあっても、或る一定以上の負荷が掛かると結合部材３、４を含むループが非ループ状となり安全性が確保される。
【００１４】
すなわちこの解除手段は、房掛と束ねたカーテンにループ状に掛ける紐状部材を有するタッセルにおいて、房掛とカーテンの間の両側の少なくとも２本の紐状部を一対の結合部材で着脱可能に結合し、結合部材には或る一定以上の負荷が掛かると結合が解除されるようにしたものであり、この解除手段は磁着によるものとし、磁着作用をなす磁性体は結合部材よりも十分小さい体積であって非磁性体に埋め込まれるように設けられ、タッセルのループに異物が引っ掛かると結合部材同士が回動して離間するか、又は紐状部の軸線方向への張力の作用による一定以上の負荷で離間することにより、ループ状が非ループ状となることを特徴としているのである。
【００１５】
次に、図３乃至図５を参照して上記したタッセルの使用方法を説明する。図３はタッセルによるカーテンの固定方法を示す説明図、図４は束しろ調節部材の作用説明図、図５はタッセルを単独で房掛に掛ける方法を示す説明図である。
開けたカーテン１１の束しろを小さくするとともに、タッセル１の結合部材３、４を前側にして固定したい場合、折り返し部５を房掛１０に掛けた状態で、束ねしろ調節部材２０から結合部材３、４までの長さを互いに同一に保ちながら束ねしろ調節部材２０を結合部材３、４の側に移動して、カーテン側のループの長さＬが短くなるように調節し（図４（１）参照）、束ねしろ調節部材２０から結合部材３、４までを束ねたカーテン１１の両側から掛けて、結合部材３、４をカーテン１１の前側で磁着により結合させる。これにより、カーテン１１の束ねしろを小さくし、締めた感じにして固定可能となる（図３（１）参照）。
【００１６】
反対に、カーテン１０の束しろを大きくするとともに結合部材３、４を前側にして固定したい場合、折り返し部５を房掛１０に掛けた状態で、束ねしろ調節部材２０から結合部材３、４までの長さを同一に保ちながら束ねしろ調節部材２０を折り返し部５の側に移動して、カーテン側のループの長さＬが長くなるように調節し（図４（２）参照）、束ねしろ調節部材２０から結合部材３、４までを束ねたカーテン１１の両側から掛けて、結合部材３、４をカーテン１１の前側で磁着により結合させる。これにより、カーテン１０の束ねしろを大きくして、緩くした感じで固定可能となる（図３（２）参照）。
【００１７】
これと異なり、結合部材３、４を束ねたカーテン１０の脇で固定して装飾性に変化を持たせたい場合、束ねしろ調節部材２０に挿通された２本の紐状部５、６の一方を手前側、他方を奥側に移動することで結合部材３、４を束ねたカーテン１０の周りに沿って移動し（図４（３）参照）、束ねしろ調節部材２０から結合部材３、４までを束ねたカーテン１１の両側から掛けて、結合部材３、４をカーテン１１の脇側で磁着により結合させる。これにより、タッセル１による装飾感を変えることが可能となる（図３（３）参照）。なお、結合部材３、４を束ねたカーテン１０の周りに沿って移動していくと、一方の結合部材３または４が束ねしろ調節部材２０に当接したところで移動が制限されるので、誤って結合部材３、４を移動させすぎる恐れは生じない。
なお、束ねしろ調節部材２０がどの位置にあっても、或る一定以上の負荷が掛かると結合部材３、４の磁着結合が容易に解除されて、結合部材３、４を含むループが非ループ状となり安全性が確保される。
【００１８】
カーテン１１を閉めるためカーテン１１からタッセル１を外す際は、結合部材３、４を両手で持って左右に或る一定以上の力を加えることで容易に分離することができる。カーテン１１から外れたタッセル１は房掛１０に吊持されるが、いずれか一方の結合部材３（または４）が束ねしろ調節部材２０に当接するように紐状部材２を移動しておくことで、房掛１０から一本の紐状に吊持させることができ、ループ状部分で異物が引っ掛からないようにできる（図５（１）参照）。また、束ねしろ調節部材２０を房掛１０の近傍まで移動することで、房掛１０からのタッセル１の脱落防止を図ることもできる（図５（２）参照）。
【００１９】
この実施例によれば、紐状部材２の両端部に磁着式の結合部材３、４を備えたので束ねたカーテン１１へのタッセル１の掛け外しを簡単に行える。
また、房掛１０と束ねたカーテン１１にループ状に掛ける紐状部材２を有するタッセル１の内、房掛１０と束ねたカーテン１１の間の左右両側の紐状部６、７を可変位置で留め、カーテン１１に掛けたループの長さを変えてカーテン１１の束ねしろを調節可能とする束ねしろ調節部材２０を付設したので、束ねしろの小さいカーテン、束ねしろの大きいカーテンのいずれに対しても１つのタッセル１で固定可能となる。また、同じカーテン１１でも、束ね方を多様に変化させることができる。
また、束ねしろ調節部材２０を備えたことで、結合部材３、４を束ねたカーテン１１の前側で保持することも、脇側に回した状態で保持することもでき、簡単に装飾性に変化を持たせることができる。
また、束ねしろ調節部材２０を円筒状とし、内部に長さ方向に摺動自在に挿通した２本の紐状部６、７と束ねしろ調節部材２０との摩擦抵抗により、２本の紐状部６、７が固定した状態に保持されるようにしたので、束ねしろ調節部材２０の移動操作をするだけで容易に束ねしろを調節可能となる。
また、タッセル１をカーテン１１から外した場合、一方の結合部材３（または４）が束ねしろ調節部材２０に当接するように紐状部材２を移動しておくことでタッセル１の全体を一本の紐状に吊持させることができ、ループ状部分で異物が引っ掛からないようにでき、或いは、束ねしろ調節部材２０を房掛１０の近傍まで移動することで、房掛１０からのタッセル１の脱落防止を図ることもできる。
また、束ねしろ調節部材２０がどの位置にあっても、或る一定以上の負荷が掛かると結合部材３、４の磁着結合が容易に解除されるので、結合部材３、４を含むループが非ループ状となり安全性が確保される。
【００２０】
図６は図１のタッセルの各種の変形例を示す外観平面図であり、この内、図６（１）は、繊維を編んだ強度と柔軟性の有る１本の太い紐状部材２Ａの両端部に一対の係止環４０、４１が形成されたタッセルであり、係止環４０、４１を各々、房掛に掛けて係止するとともに、紐状部材２Ａを束ねたカーテンにループ状に掛けるようにしたものである。房掛と束ねたカーテンとの間の左右両側の紐状部４２、４３が図２（１）と同様に構成された円筒状の束ねしろ調節部材２０に摺動自在に挿通されており、紐状部４２、４３と束ねしろ調節部材２０との摩擦抵抗により２本の紐状部４２、４３が固定した状態に保持される。束ねしろ調節部材２０を移動することにより、カーテンに掛けたループの長さを変えてカーテンの束ねしろを調節可能である。
【００２１】
図６（２）のタッセルでは、図１と同様に構成されたタッセルの紐状部６、７に、束ねしろ調節部材２０のカーテン側への移動範囲を制限する制限手段としてのストッパ部材４４、４５を固着したことにより、房掛と束ねしろ調節部材２０の間に大きなループ状部分が出来て大きな異物が引っ掛かるのを防止するようにしたものである。ストッパ部材４４、４５は、折り返し部５と束ねしろ調節部材２０との間の距離Ｄを一定以下（例えば１５２ｍｍ以下）に制限するようにしている。なお、制限手段は紐状部とは別部材を固着する方法以外にも、例えば紐状部自身で結び目を形成して設けるようにしても良い。
【００２２】
図６（３）のタッセルでは、繊維を編んだ強度と柔軟性の有る２本の独立した太い紐状部材２Ｂ、２Ｃの各々の一端部に房掛に係止する係止環４６、４７が形成されている。紐状部材２Ｂ、２Ｃの途中の紐状部４８、４９が図６（１）と同様にして束ねしろ調節部材２０に摺動自在に挿通されており、紐状部４８、４９と束ねしろ調節部材２０との摩擦抵抗により２本の紐状部４８、４９が固定した状態に保持されるようになっている。紐状部材２Ｂ、２Ｃの各々の先端部には図１と同様に形成された結合部材３、４が固着されており、束ねしろ調節部材２０から結合部材３、４までを束ねたカーテンの両側からループ状に掛けてカーテンの前側で着脱自在に結合可能となっている。なお、紐状部材は３本以上としても良い。
【００２３】
図７は図１中の結合部材の変形例を示す断面図である。図７（１）に示す如く、一方の結合部材５０は木球５１の先端側に弾性部材からなる円筒状の嵌合凸部５２が突設されており、基端側の凹部５３に紐状部材２の先端が接着剤等により固着されている。木球５１の外面全体には嵌合凸部５２を除き細紐を巻着して形成した被覆５４が設けられている。他方の結合部材５５は、木球５６の先端側に嵌合凸部５２が着脱自在に嵌合して結合する円筒状の嵌合凹部５７が刻設されており、基端側に刻設された凹部５８に紐状部材２の先端が接着剤等により固着されている。木球５６の外面全体には嵌合凹部５７を除き細紐を巻着して形成した被覆５９が設けられている。勘合凹部５７の径は嵌合凸部５２より僅かに小さく形成されており、嵌合凸部５２を嵌合凹部５７に嵌合すると嵌合凸部５２が僅かに圧縮されて復元力により嵌合凹部５７に圧接し、摩擦抵抗で嵌合状態を保持する（図７（２）参照）。但し、嵌合凸部５２と嵌合凹部５７は、手で持って引き離したりして、或る一定以上の負荷が掛かると外れる解除手段としての機能も有する。その際は、図１乃至図５、図６（２）、（３）の実施例及び変形例における閾値と同様にして、図１の状態からの解除に必要な最小荷重、或いは図４（３）の状態からの解除に必要な最小荷重の内、より大きい方の荷重負荷を解除の閾値とする。図７の結合部材５０、５５によっても、紐状部材２の両端部を容易に着脱できる。
【００２４】
図８は図１中の束ねしろ調節部材の変形例を示す説明図であり、図８（１）は平面図、図８（２）は断面図、図８（３）は作用説明図である。この変形例は、束ねしろ調節部材を紐状部に対して所定以下の力で引く操作だけでは移動できないようにし、所定以下の力で引く操作とは異なる動作を伴うときのみ移動可能としたことを特徴としている。図８において、束ねしろ調節部材６０は断面が略長方形状の筒状のケーシング６１の上壁６２に操作軸６３が上下移動自在に軸支されており、操作軸６３の下端には押し板６４、上端には操作釦６５が固着されている。押し板６４とケーシング６１の下壁６６の間には圧縮バネ６７が介装されており、押し板６４を常時、上壁方向へ押圧している。図８（２）の状態では、所定以下の力で引く操作だけでは移動できないようになっている。押し板６４とケーシング６１の上壁６２の間には、タッセルの２本の紐状部６、７が挿通されている。操作釦６５が解放された状態にあるとき、圧縮バネ６７に付勢されて押し板６４が紐状部６、７をケーシング６１の上壁６２に押接し、紐状部６、７と上壁６２の間に働く摩擦抵抗により、２本の紐状部６、７は固定される（図８（２）参照）。操作釦６５を圧縮バネ６７に抗して押下すると、押し板６４が下壁６６の方向へ移動し、紐状部６、７がケーシング６１の上壁６２から離れて紐状部６、７と上壁６２の間の摩擦抵抗が無くなる（図８（３）参照）。従って、２本の紐状部６、７に対し束ねしろ調節部材６０を移動して、カーテンの束ねしろを調節可能となる。調節後、操作釦６５を解放すれば再び２本の紐状部６、７が固定される。図８の束ねしろ調節部材６０によれば、束ねしろ調節部材６０の移動時に紐状部６、７とケーシング６１の間に摩擦抵抗が生じないので、力を加えなくても容易に移動可能となる。なお、圧縮バネ６７は押し板６４と一体成形または下壁６６と一体成形しても良い。
【００２５】
図９は図１中の束ねしろ調節部材の他の変形例を示す説明図であり、図９（１）は分離状態を示す外観斜視図、図９（２）は結合状態を示す外観斜視図である。本変形例におけるカーテンタッセルは、タッセルのループが複数ある場合において複数のループに或る一定以上の負荷が掛かったときはそれぞれのループが解除されて非ループ状となる解除手段が備えられていることを特徴とする。より具体的な点では、カーテンタッセル紐の留め部材が、筒を縦割りにした１組の縦割り部材を合わせて内部に複数の紐状部を挿通するように形成されており、解除手段は、縦割り部材間を着脱自在に装着する装着部からなり、或る一定以上の負荷が掛かると装着部が分離するようにしたこと、を特徴としている。図９において、束ねしろ調節部材７０は円筒を縦に半割りした第１の分割部材７１と第２の分割部材７２からなり、第１の分割部材７１は各々、円筒を縦に半割りしたケーシング７３と磁石７４を有し、ケーシング７３の内側に磁石７４が嵌着されている。第２の分割部材７２も同様にして、各々、円筒を縦に半割りしたケーシング７５と磁石７６を有し、ケーシング７５の内側に磁石７６が嵌着されている。第１の分割部材７１と第２の分割部材７２を内部に２本の紐状部６、７を挿入させながら磁着して円筒状に結合すると、紐状部６、７と第１の分割部材７１、第２の分割部材７２の間に働く摩擦抵抗により、２本の紐状部６、７は固定される（図９（２）参照）。第１の分割部材７１、第２の分割部材７２が結合した状態で束ねしろ調節部材７０を移動することで、カーテンの束ねしろを調節可能となる。なお、束ねたカーテンから負荷が掛かっても第１の分割部材７１と第２の分割部材７２の結合は分離しないが、タッセルに異物が引っ掛かるなどして或る一定以上の負荷が掛かったときは磁着が外れて第１の分割部材７１、第２の分割部材７２が分離するようになっている。即ち、磁石７４、７６は或る一定以上の負荷が掛かると紐状部６、７の固定が解除される解除手段としての機能も有する。
【００２６】
図１０は図１中の束ねしろ調節部材の更に他の変形例を示す説明図であり、図１０（１）は分離状態を示す外観斜視図、図１０（２）は結合状態を示す外観斜視図である。本変形例におけるカーテンタッセル紐の留め部材は、筒を縦割りにした１組の縦割り部材を合わせて内部に複数の紐状部を挿通するように形成されており、解除部は、弾性的に係合されるようにしたこと、を特徴としている。図１０において、束ねしろ調節部材８０は円筒を縦に半割りした第１の分割部材８１と第２の分割部材８２からなり、第１の分割部材８１は上下端部の左右両端から突設された４つの係合部８３を有し、第２の分割部材８２の上下端部の左右両端には４つの係合部８３と係脱自在に係合する４つの溝状の被係合部８４が形成されている。係合部８３は束ねしろ調節部材８０の中心方向を向いた係合突起８５を有し、被係合部８４に係合させて行くと最初は左右外側に少し開き、最後に係合凹部８６に来たところで内側に戻って係合するようになっている。第１の分割部材８１と第２の分割部材８２を内部に２本の紐状部６、７を挿入させながら係合して円筒状に結合すると、紐状部６、７と第１の分割部材８１、第２の分割部材８２の間に働く摩擦抵抗により、２本の紐状部６、７は固定される（図１０（２）参照）。第１の分割部材８１、第２の分割部材８２が結合した状態で束ねしろ調節部材８０を移動することで、カーテンの束ねしろを調節可能となる。なお、束ねたカーテンから負荷が掛かっても第１の分割部材８１と第２の分割部材８２の結合は分離しないが、タッセルに異物が引っ掛かるなどして或る一定以上の負荷が掛かったときは係合部８３と被係合部８４の係合が外れて第１の分割部材８１、第２の分割部材８２が分離するようになっている。即ち、係合部８３と被係合部８４は或る一定以上の負荷が掛かると紐状部６、７の固定が解除される解除手段としての機能も有する。
【００２７】
図１１は図１中の束ねしろ調節部材の他の変形例を示す説明図であり、図１１（１）は束ねしろ調節部材の外観斜視図、図１１（２）、（３）は束ねしろ調節部材の作用説明図である。本変形例におけるカーテンタッセル紐の留め部材は、２本の紐状部を留めるクリップ部材により形成し、解除手段は、クリップ部材の弾性変形により拡縮する紐挿入口とし、或る一定以上の負荷が掛かると紐挿入口が拡大して紐状部が外れるようにしたこと、を特徴としている。図１１において、束ねしろ調節部材９０は断面が略筒状であるが一部が開口した馬蹄形に形成されて上下に延設された弾性を有するクリップ部材９１からなり、開口端部９２の間口は紐状部６、７の径より少し狭くなっている。開口端部９２は外側に湾曲している。紐状部６、７を外部から開口端部９２に当接すると、開口端部９２が外側に開いてクリップ部材９１の中に紐状部６、７を挿通することができる。 2本の紐状部６、７を挿通したとき、クリップ部材９１の馬蹄形が少し開いた状態となり（図１１（２）参照）、弾性反力により２本の紐状部６、７が挟持されて、クリップ部材９１と紐状部６、７の間に働く摩擦抵抗により、２本の紐状部６、７が固定される（図１１（３）参照）。束ねしろ調節部材９０を移動することで、カーテンの束ねしろを調節可能となる。なお、束ねたカーテンから負荷が掛かっても２本の紐状部６、７は抜けないが、タッセルに異物が引っ掛かるなどして或る一定以上の負荷が掛かったときはクリップ部材９１の開口端部９２が開いて抜けるようになっている。即ち、開口端部９２は或る一定以上の負荷が掛かると紐状部６、７の固定が解除される解除手段としての機能も有する。
【００２８】
図１２は図１中の束ねしろ調節部材の他の変形例を示す説明図であり、図１２（１）は束ねしろ調節部材が開いた状態を示す外観斜視図、図１２（２）は束ねしろ調節部材が閉じた状態を示す外観斜視図である。本変形例におけるカーテンタッセル紐の留め部材は、折り曲げ部を挟んで開閉自在な１組の挟持部材により２本の紐状部を挟持するように形成し、解除手段は、２つの挟持部材の開口端間を開閉自在に装着する装着部からなり、或る一定以上の負荷が掛かると装着部が開くようにしたこと、を特徴としている。図１２において、束ねしろ調節部材１００は円筒を縦に半割りした第１の挟持部１０１と第２の挟み部１０２を有し、これらの一端側が折り曲げ自在に接合された折り曲げ部１０３を形成し、この折り曲げ部１０３を軸にして第１の挟持部１０１と第２の挟み部１０２の他端側が開閉自在に形成されている。第１の挟持部１０１と第２の挟み部１０２の他端側には、係合凸部１０４と被係凹部１０５が軸方向に沿って設けられており、第１の挟持部１０１と第２の挟持部１０２を閉じたときに係合凸部１０４と被係凹部１０５が係脱自在に係合するようになっている。第１の挟持部１０１と第２の挟持部１０２を内部に２本の紐状部６、７を挿入させながら閉じて係合し円筒状に結合すると、紐状部６、７と第１の挟持部１０１、第２の挟持部１０２の間に働く摩擦抵抗により、２本の紐状部６、７は固定される（図１２（２）参照）。第１の挟持部１０１、第２の挟持部１０２が結合した状態で束ねしろ調節部材１００を移動することで、カーテンの束ねしろを調節可能となる。なお、束ねたカーテンから負荷が掛かっても第１の挟持部１０１と第２の挟持部１０２は開かないが、タッセルに異物が引っ掛かるなどして或る一定以上の負荷が掛かったときは係合凸部１０４と係合凹部１０５の係合が外れて開くようになっている。即ち、係合凸部１０４と係合凹部１０５は或る一定以上の負荷が掛かると紐状部６、７の固定が解除される解除手段としての機能も有する。
【００２９】
図１３は図１中の束ねしろ調節部材の他の変形例を示す説明図であり、図１３（１）は束ねしろ調節部材の外観図、図１３は束ねしろ調節部材の使用状態の説明図である。本変形例におけるカーテンタッセル紐の留め部材は、2 本の紐状部に巻いて固定するバンドを有し、解除手段は、2 本の紐に巻いたバンド間を着脱自在に留める留め部からなり、或る一定以上の負荷が掛かると留め部が開くようにしたこと、を特徴としている。図１３において、束ねしろ調節部材１１０は柔軟性の有るバンド部材１１１から成り、両端部の表裏に留め部としてのオス側面ファスナー１１２とメス側面ファスナー１１３が装着されている。束ねしろ調節部材１１０を使用する際、内部に２本の紐状部６、７を挟み込みながら巻き付けてオス側面ファスナー１１２とメス側面ファスナー１１３により着脱自在に装着する。紐状部６、７と束ねしろ調節部材１１０の間に働く摩擦抵抗により、２本の紐状部６、７は固定される（図１３（２）参照）。束ねしろ調節部材１１０を巻いた状態で移動することで、カーテンの束ねしろを調節可能となる。なお、束ねたカーテンから負荷が掛かってもオス側面ファスナー１１２とメス側面ファスナー１１３の係着は外れないが、タッセルに異物が引っ掛かるなどして或る一定以上の負荷が掛かったときは係着が外れて開くようになっている。即ち、オス側面ファスナー１１２とメス側面ファスナー１１３は或る一定以上の負荷が掛かると紐状部６、７の固定が解除される解除手段としての機能も有する。
【００３０】
なお、上記した実施例及び各変形例における紐状部は、編組紐により構成する以外にも、モノフィラメントから構成したり、細幅テープ状のものとしても良い。
また、カーテンタッセル紐の留め部材としての束ねしろ調節部材は、２本の紐状部をそれぞれ個別に挿通する２つの筒状部材を有し、解除手段は、筒状部材間を着脱自在に装着する装着部からなり、或る一定以上の負荷が掛かると装着部が分離するようにしてもよい。
【産業上の利用可能性】
【００３１】
本発明は、家庭、オフィス、店舗、公共施設等で用いられるカーテンに適用可能である。
【符号の説明】
【００３２】
１  タッセル
２、２Ａ、２Ｂ、２Ｃ  紐状部材
３、４  結合部材
６、７、４２、４３、４８、４９  紐状部
１０  房掛
１１  カーテン
２０、６０、７０、８０、９０、１００、１１０  束ねしろ調節部材
３１  磁石
【図１】
2015167759.tif 000003
【図２】
2015167759.tif 000004
【図３】
2015167759.tif 000005
【図４】
2015167759.tif 000006
【図５】
2015167759.tif 000007
【図６】
2015167759.tif 000008
【図７】
2015167759.tif 000009
【図８】
2015167759.tif 000010
【図９】
2015167759.tif 000011
【図１０】
2015167759.tif 000012
【図１１】
2015167759.tif 000013
【図１２】
2015167759.tif 000014
【図１３】
2015167759.tif 000015